(57)【要約】【課題】着心地がよく、見た目にも優れた被服を提供すること。【解決手段】Ｙシャツ１は、袖口部分に設けられ、手首側に開口する凹部を形成する２枚の生地２１、２２と、凹部の側部に所定間隔で複数設けられたスナップボタンと、を有する本体部２を備える。スナップボタンは、本体部２とは別体の袖部３の側部に設けられた複数のスナップボタンにそれぞれ接続される。【選択図】図１
2016003418.tif 000002
【特許請求の範囲】
【請求項１】
袖口部分に設けられ、手首側に開口する凹部を形成する２枚の生地と、
前記凹部の側部に所定間隔で複数設けられた被接続部材と、
を有する本体部を備え、
前記被接続部材は、前記本体部とは別体の袖部の側部に設けられた複数の接続部材にそれぞれ接続されることを特徴とする被服。
【請求項２】
前記被接続部材は前記凹部の両側部に互い違いに設けられており、
前記接続部材は前記袖部の両側部に互い違いに設けられている請求項１に記載の被服。
【請求項３】
前記凹部の内部には、前記凹部の底部に縫いつけられ複数のタックを備える生地が取り付けられている請求項１または２に記載の被服。
【請求項４】
襟口部分に設けられ、首側に開口する凹部を形成する２枚の生地と、
前記凹部の側部に所定間隔で複数設けられた被接続部材と、
を有する本体部を備え、
前記被接続部材は、前記本体部とは別体の襟部の側部に設けられた複数の接続部材にそれぞれ接続されることを特徴とする被服。
【発明の詳細な説明】
【技術分野】
【０００１】
本発明は被服に関する。
【背景技術】
【０００２】
例えば、ファッション性を高めることを等を目的として、襟の部分をシャツ本体とは別に設け、この別に設けた襟をシャツ本体に着脱自在にして、襟を交換可能とするシャツが知られている。
【先行技術文献】
【特許文献】
【０００３】
【特許文献１】実用新案登録第３１５４１７２号公報
【特許文献２】実用新案登録第３１５９５０１号公報
【発明の概要】
【発明が解決しようとする課題】
【０００４】
しかしながら、例えば特許文献１に記載したシャツは、立襟にさらに襟を装着するため、襟が分厚くなり、着心地が悪いという問題がある。また、夏場は、蒸れやすいという問題がある。
【０００５】
また、例えば特許文献２に記載したシャツは、紐が外部に見えてしまうため、見た目が悪いという問題がある。なお、特許文献２に記載された和服であるため、付け替えに用いる紐もデザインの一部となり得るが、Ｙシャツ等では、紐は、邪魔である。
１つの側面では、本発明は、着心地がよく、見た目にも優れた被服を提供することを目的とする。
【課題を解決するための手段】
【０００６】
上記目的を達成するために、開示の被服が提供される。この被服は、袖口部分に設けられ、手首側に開口する凹部を形成する２枚の生地と、凹部の側部に所定間隔で複数設けられた被接続部材と、を有する本体部を備えている。被接続部材は、本体部とは別体の袖部の側部に設けられた複数の接続部材にそれぞれ接続される。
【発明の効果】
【０００７】
１態様では、着心地がよく、見た目にも優れる。
【図面の簡単な説明】
【０００８】
【図１】実施の形態の被服を示す図である。
【図２】袖口および袖の断面を示す図である。
【図３】袖口への袖部の取り付けを説明する図である。
【図４】実施の形態のＹシャツの首周りを説明する図である。
【図５】実施の形態の襟部を説明する図である。
【図６】襟口への襟部の取り付けを説明する図である。
【図７】袖部と襟部を本体部に取り付けたＹシャツを示す図である。
【図８】第２の実施の形態のＹシャツを示す図である。
【図９】第２の実施の形態の襟部を説明する図である。
【図１０】第２の実施の形態の襟口への襟部の取り付けを説明する図である。
【図１１】第３の実施の形態のＹシャツを示す図である。
【図１２】第３の実施の形態の襟部を説明する図である。
【発明を実施するための形態】
【０００９】
以下、実施の形態の被服を、図面を参照して詳細に説明する。
＜第１の実施の形態＞
図１は、第１の実施の形態の被服を示す図である。
第１の実施の形態のＹシャツ（被服）１は、本体部２と、本体部２に対して着脱可能な袖部３および襟部４を備えている。
本体部２の袖口には、２枚の生地２１、２２が設けられている。
図２は、袖口および袖の断面を示す図であり、図３は、袖口への袖部の取り付けを説明する図である。
【００１０】
生地２１、２２により挟まれた領域が凹部２ａを形成している。すなわち、生地２１と生地２２とが縫いつけられている部分が凹部２ａの底部２ａ１を形成し、手首側に開口している。図３（ａ）に示すように、生地２１と生地２２とにより形成される凹部２ａの側部２ａ２には、所定の間隔でスナップボタン（被接続部材）５ａが複数個配置されている。なお被接続部材としては、スナップボタン以外にも例えば、ホック等を用いることもできる。
【００１１】
スナップボタン５ａは、両側部２ａ２に互い違いに設けられている。すなわち、凹部２ａの内側の側部２ａ２に設けられたスナップボタン５ａと凹部２ａの外側の側部２ａ２に設けられたスナップボタン５ａとが互いに対向しないように設けられている。
【００１２】
袖部３の袖口側の生地３１の内側には、スナップボタン５ａに取り付けられる複数のスナップボタン５ｂが設けられている。スナップボタン５ｂは、スナップボタン５ａに対応する部位に配置されている。図３（ｂ）に示すように、本体部２に袖部３を取り付けるときには、スナップボタン５ｂをスナップボタン５ａに取り付けることで、本体部２と袖部３とが接続される。
【００１３】
このように、スナップボタン５ａを凹部２ａの両側部２ａ２に互い違いに設けることで、互い違いにしない場合に比べて袖の厚さが半分になり、着心地がよくなる上に、生地２１の浮きを効率よく抑制することができる。
【００１４】
また、袖部３のスナップボタン５ｂを取り付ける部分の生地３１は、袖部３の袖先の生地に比べて薄い生地を用いても良い。これにより、本体部２と袖部３とを接続したときにスナップボタン５ｂを取り付ける部分の生地が本体部２の生地と重なっても、接続部が分厚くなることを抑制することができる。
【００１５】
また、生地２１によりスナップボタン５ａ、５ｂが隠れるため、見た目も従来のＹシャツと比べ違和感なく見える。また、生地２２により直接スナップボタン５ａが素肌に触れることがないので、着用時の違和感が軽減される。
次に、本体部２の首周りの構造について説明する。
【００１６】
図４は、実施の形態のＹシャツの首周りを説明する図である。
本体部２の首周りには、２枚の生地２３、２４が縫いつけられており、２枚の生地２３、２４それぞれに挟まれた箇所が凹部２ｂを形成している。なお、図４では、ヨーク２ｃを図示している。
図４に示すように、生地２３と生地２４とで形成される凹部２ｂの側部２ｂ１には、所定の間隔でスナップボタン５ｃが複数個配置されている。
【００１７】
スナップボタン５ｃは、側部２ｂ１に互い違いに設けられている。すなわち、生地２３の側部２ｂ１に設けられたスナップボタン５ｃと生地２４の側部２ｂ１に設けられたスナップボタン５ｃとが互いに対向しないように設けられている。
図５は、実施の形態の襟部を説明する図である。
実施の形態の襟部４は、襟羽４１と、襟首４２と、襟首４２の下部に設けられた生地４３とを備えている。
襟首４２には、第一ボタン４２ａおよびボタン穴４２ｂが設けられている。
【００１８】
生地４３は、襟首４２に縫いつけられた１枚の生地であり、何カ所かのタックが入ったフレア状の生地である。この生地４３には、複数のスナップボタン５ｄがスナップボタン５ｃの間隔と同じ間隔で表裏互い違いに取り付けられている。生地４３をフレア状にすることにより、より生地に遊びができる（中の生地の距離が伸びるので）ので、動いても浮き上がりが防げる。また、生地４３をフレア状にしても、外からは見えないのでＹシャツ１の見た目を損ねない。
【００１９】
図６は、襟口への襟部の取り付けを説明する図である。なお、図６では、襟羽４１および襟首４２等の図示を省略している。
図６に示すように、本体部２の襟口に襟部４を取り付けるときには、スナップボタン５ｄをスナップボタン５ｃに取り付けることで、本体部２と襟部４とが接続される。なお、この場合、生地４３は、襟羽４１を折り返すことで隠れて外部から見えないようになる。このため、例えばノーネクタイで第一ボタン４ａを外したときにも見た目は普通のＹシャツと変わらない。
【００２０】
図７は、袖部と襟部を本体部に取り付けたＹシャツを示す図である。袖部３と襟部４を本体部２に取り付けたＹシャツ１の外観は、接続部が目立たず、普通のＹシャツと同じものとなる。
【００２１】
この襟部４によれば、袖部３と同様の効果が得られる。すなわち、スナップボタン５ｃを凹部２ｂの両側部２ｂ１に互い違いに設けることで、互い違いにしない場合に比べて襟の厚さが半分になり、着心地がよくなる上に、生地の浮きを効率よく抑制することができる。
【００２２】
また、生地４３は、生地２３、２４に比べて薄くても良い。これにより、本体部２と襟部４とを接続したときに生地４３が生地２３，２４と重なっても、分厚くなることを抑制することができる。
また、生地２４によって直接スナップボタン５ｃが素肌に触れることがないので、着用時の違和感が軽減される。
＜第２の実施の形態＞
次に、第２の実施の形態のＹシャツについて説明する。
以下、第２の実施の形態のＹシャツについて、前述した第１の実施の形態との相違点を中心に説明し、同様の事項については、その説明を省略する。
図８は、第２の実施の形態のＹシャツを示す図である。
図８に示すＹシャツ１ａの本体部２０の首周りの内側には、所定の間隔でスナップボタン５ｅが複数個配置されている。
【００２３】
図９は、第２の実施の形態の襟部を説明する図である。
本実施の形態の襟部４ａは、生地４４をさらに有している。
生地４４は、襟首４２に縫いつけられており、着用時に首に接触する部分である。生地４３の、生地４４の反対側には、スナップボタン５ｅの間隔と同じ間隔で複数のスナップボタン５ｆが設けられている。
【００２４】
図１０は、第２の実施の形態の襟口への襟部の取り付けを説明する図である。なお、図１０では、襟羽４１および襟首４２等の図示を省略している。
図１０に示すように、本体部２０の襟口に襟部４ａを取り付けるときには、スナップボタン５ｆをスナップボタン５ｅに取り付けることで、本体部２と襟部４ａとが接続される。なお、この場合、生地４３は、襟羽４１を折り返すことで隠れて外部から見えないようになる。このため、例えばノーネクタイで第一ボタン４ａを外したときにも見た目は普通のＹシャツと変わらない。
第２の実施の形態のＹシャツによれば、第１の実施の形態のＹシャツと同様の効果が得られる。
【００２５】
そして、第２の実施の形態のＹシャツによれば、着用時に首に接触する部分が襟部４ａに設けられているため、襟部４ａが汚れた場合においても襟部４ａを交換すれば良いので、経済的に優れる。
＜第３の実施の形態＞
次に、第３の実施の形態のＹシャツについて説明する。
以下、第３の実施の形態のＹシャツについて、前述した第１の実施の形態との相違点を中心に説明し、同様の事項については、その説明を省略する。
【００２６】
図１１は、第３の実施の形態のＹシャツを示す図である。
第３の実施の形態のＹシャツ１ｂは、本体部２００の袖口に複数のスナップボタン５ｇが設けられている。また、本体部２００の首まわりには複数のスナップボタン５ｈが所定の間隔で設けられている。
【００２７】
また、Ｙシャツ１ｂは、本体部２００に対して着脱可能な袖部３ｂおよび襟部４ｂを備えている。袖部３ｂおよび襟部４ｂを本体部２００に取り付ける仕組みは同じであるため、以下代表して袖部４ｂを本体部２００に取り付ける仕組みを説明する。
図１２は、第３の実施の形態の襟部を説明する図である。
【００２８】
本実施の形態の襟部４ｂは、外周側にスナップボタン５ｅの間隔と同じ間隔で複数のスナップボタン５ｉが設けられている。そして、襟部４ｂを本体部２００に取り付ける際には、スナップボタン５ｉをスナップボタン５ｈに取り付けることで、本体部２００と襟部４ｂとが接続される。
第３の実施の形態のＹシャツによれば、袖部および襟部を容易に着脱することができる。従って、比較的汚れやすい袖部および襟部の交換が簡単になる。
【００２９】
以上、本発明の被服を、図示の実施の形態に基づいて説明したが、本発明はこれに限定されるものではなく、各部の構成は、同様の機能を有する任意の構成のものに置換することができる。例えば、本実施の形態の袖部３の工夫を襟部４に取り入れても良いし、襟部４の工夫を袖部３に取り入れてもよい。また、本発明に、他の任意の構成物や工程が付加されていてもよい。例えば、形状記憶の樹脂を袖口や首もとの生地に入れてもよい。これにより、形状がより固定されるので、生地の浮きを抑えることができる。
また、本発明は、前述した実施の形態のうちの、任意の２以上の構成（特徴）を組み合わせたものであってもよい。
【符号の説明】
【００３０】
１、１ａ、１ｂ  Ｙシャツ
２、２０、２００  本体部
２ａ、２ｂ  凹部
２ｃ  ヨーク
３、３ｂ  袖部
４、４ｂ  襟部
２１〜２４、３１、４３  生地
４１  襟羽
４２  襟首
５ａ〜５ｉ  スナップボタン
【図１】
2016003418.tif 000003
【図２】
2016003418.tif 000004
【図３】
2016003418.tif 000005
【図４】
2016003418.tif 000006
【図５】
2016003418.tif 000007
【図６】
2016003418.tif 000008
【図７】
2016003418.tif 000009
【図８】
2016003418.tif 000010
【図９】
2016003418.tif 000011
【図１０】
2016003418.tif 000012
【図１１】
2016003418.tif 000013
【図１２】
2016003418.tif 000014